(57)【要約】【課題】液晶ディスプレイを含むイメージ表示システムと固定方法を提供する。【解決手段】液晶ディスプレイは、フレーム、バックライトモジュール、パネルモジュール、及び、紫外線接着剤、からなる。バックライトモジュールはフレーム中に挿入される。パネルモジュールはバックライトモジュール上に配置される。紫外線接着剤はパネルモジュールとフレーム間に挿入され、パネルモジュールをフレームに固定する。液晶ディスプレイの固定方法の工程は、バックライトモジュールをフレームに設置する工程と、バックライトモジュール上にパネルモジュールを配置する工程と、パネルモジュールとフレーム間に紫外線接着剤を配置する工程と、からなる。【選択図】図５
2008026904.tif 000002
【特許請求の範囲】
【請求項１】
液晶ディスプレイを有するイメージ表示システムであって、前記液晶ディスプレイは、
フレーム、
前記フレーム上に挿入されるバックライトモジュール、
前記バックライトモジュール上に配置されるパネルモジュール、及び
前記パネルモジュールと前記フレーム間に位置し、前記パネルモジュールと前記パネルを固定する紫外線接着剤、
を含むことを特徴とするシステム。
【請求項２】
前記フレームは内側表面を有し、前記パネルモジュールは側表面を有し、前記紫外線接着剤は、前記フレームの内側表面と前記パネルモジュールの側表面を接続することを特徴とする請求項１に記載のシステム。  
【請求項３】
更に、電子装置を含み、前記電子装置は、
前記液晶ディスプレイ、及び
前記液晶ディスプレイに結合され、前記液晶ディスプレイに入力を提供することによって前記液晶ディスプレイにイメージを表示させる入力ユニット、
を含むことを特徴とする請求項１に記載のシステム。
【請求項４】
イメージを表示するシステムの固定方法であって、前記システムは、液晶ディスプレイからなり、その工程は、
バックライトモジュールをフレームに設置する工程、
前記バックライトモジュール上にパネルモジュールを配置する工程、
前記パネルモジュールと前記フレーム間に紫外線接着剤を配置する工程、及び
前記紫外線接着剤を固化する工程、
を含むことを特徴とする方法。
【請求項５】
前記紫外線接着剤を固化する前記工程において、前記紫外線が前記紫外線接着剤を固化することを特徴とする請求項４に記載の方法。
【請求項６】
前記パネルモジュールと前記フレーム間に紫外線接着剤を配置する前記工程において、前記紫外線接着剤は、前記フレームの内側表面と前記パネルモジュールの側表面を接続することを特徴とする請求項４に記載の方法。  
【発明の詳細な説明】
【技術分野】
【０００１】
本発明は、液晶ディスプレイを含むイメージ表示システムと固定方法に関するものである。
【背景技術】
【０００２】
図１を参照すると、公知の液晶ディスプレイ１０は、フレーム１３、パネルモジュール１１、リムテープ１４１、及び、バックライトモジュール１２、からなる。バックライトモジュール１２はフレーム１３底部に挿入される。パネルモジュール１１はバックライトモジュール１２上に挿入される。リムテープ１４１はバックライトモジュール１２、パネルモジュール１１とフレーム１３間に挿入され、バックライトモジュール１２とフレーム１３上にパネルモジュール１１を固定する。リムテープ１４１の厚さは約０．０５〜０．１５ミリである。よって、パネルモジュール１１下のリムテープ１４１は液晶ディスプレイ１０の厚さを増加する。更に、図２を参照すると、未カットテープ１４がリムテープ１４１と残りの１４２に分割される。リムテープ１４１の中央は、透光の空洞領域１４３である。未カットテープ１４からの切り残り１４２が無用なので、公知の液晶ディスプレイ１０の固定方法は高価である。
【０００３】
よって、公知の液晶ディスプレイ１０の固定方法はディスプレイの厚さとコストを増加させる。
【発明の開示】
【発明が解決しようとする課題】
【０００４】
本発明は、上述の問題を解決する液晶ディスプレイを含むイメージ表示システムと固定方法を提供することを目的とする。
【課題を解決するための手段】
【０００５】
液晶ディスプレイを含むイメージ表示システムは、フレーム、バックライトモジュール、パネルモジュール、及び、紫外線接着剤、からなる。バックライトモジュールはフレーム中に挿入される。パネルモジュールはバックライトモジュール上に配置される。紫外線接着剤はパネルモジュールとフレーム間に挿入され、パネルモジュールをフレームに固定する。
【０００６】
イメージ表示システムの固定方法において、システムは液晶ディスプレイからなり、バックライトモジュールをフレームに設置する工程と、バックライトモジュール上にパネルモジュールを配置する工程と、パネルモジュールとフレーム間に紫外線接着剤を配置し、紫外線接着剤を固化する工程と、からなる。
【発明の効果】
【０００７】
公知の液晶ディスプレイの固定方法が、高価で、ディスプレイの厚さとコストが増加する欠点を改善するシステムと方法が提供される。
【発明を実施するための最良の形態】
【０００８】
図３で示されるように、液晶ディスプレイ２０はパネルモジュール２１、バックライトモジュール２２、フレーム２３、及び、紫外線接着剤３０、からなる。パネルモジュール２１はバックライトモジュール２２上に配置される。バックライトモジュール２２はフレーム２３の底部に挿入される。フレーム２３は内側表面２３１を有する。紫外線接着剤３０は、パネルモジュール２１とフレーム２３間に提供されて、パネルモジュール２１とフレーム２３を固定する。本具体例において、パネルモジュール２１は、第一光学膜２１１、カラーフィルター基板２１２、TFTアレイ基板２１３、及び、第二光学膜２１４を順に重畳する。バックライトモジュール２２は、第一拡散膜２２１、プリズム膜２２２、第二拡散膜２２３、及び、導光板２２４を順に重畳する。更に、本具体例において、紫外線接着剤３０はフレーム２３の内側表面２３１とカラーフィルター基板２１２の側表面２１５とTFTアレイ基板２１３間に挿入される。紫外線接着剤３０はトナーや顔料に添加されるブラックビアで、光の漏れを減少させる。
【０００９】
液晶ディスプレイの具体例は、図４で示され、パネルモジュール２１、バックライトモジュール２２、フレーム２３、及び、紫外線接着剤３０、からなる。パネルモジュール２１はバックライトモジュール２２上に配置される。バックライトモジュール２２はフレーム２３の底部に挿入される。フレーム２３は内側表面２３１を有する。紫外線接着剤３０はパネルモジュール２１とフレーム２３間に挿入され、パネルモジュール２１とフレーム２３を固定する。本具体例において、パネルモジュール２１は、第一光学膜２２１、カラーフィルター基板２１２、TFTアレイ基板２１３、及び、第二光学膜２１４を順に重畳する。バックライトモジュール２２は、第一拡散膜２２１、プリズム膜２２２、第二拡散膜２２３、及び、導光板２２４を順に重畳する。本具体例において、紫外線接着剤３０は、フレーム２３の内側表面２３１と第二光学膜２１４の側表面２１６間に挿入される。紫外線接着剤３０はトナーや顔料に添加されるブラックビアで、光の漏れを減少させる。
【００１０】
図５は、液晶ディスプレイの固定方法を示す図で、バックライトモジュールをフレームに設置する工程と、バックライトモジュール上にパネルモジュールを配置する工程と、パネルモジュールとフレーム間に紫外線接着剤を配置し、紫外線接着剤を固化する工程と、からなる。図３を参照すると、まず、バックライトモジュール２２はフレームの底部に配置される。次に、パネルモジュール２１はバックライトモジュール２２上に配置される。紫外線接着剤３０はパネルモジュール２１とフレーム２３間に配置される。紫外線接着剤３０は、パネルモジュールとフレームを配置する間、液晶状態である。最後に、紫外線接着剤３０が紫外線３１により固化される。
【００１１】
紫外線接着剤３０はパネルモジュール２１とフレーム２３を横に接続し、よって、本発明は、公知の液晶ディスプレイパネル２０の厚さを減少させる。更に、テープの残り１４２の浪費が改善され、パネルモジュール２１をフレーム２３に固定する本発明の紫外線接着剤３０はコストを減少させる。
【００１２】
図６は、イメージ表示システムを示す図で、液晶ディスプレイ２０、或いは、電子装置６００として実行される。液晶ディスプレイ２０は、様々な電子装置（この場合、電子装置６００）の一部を形成することができる。電子装置６００は、液晶ディスプレイ２０と入力ユニット５００からなる。液晶ディスプレイ２０はパネルモジュール２１からなる。入力ユニット５００は液晶ディスプレイ２０に結合されて、液晶ディスプレイ２０に入力を提供し、液晶ディスプレイ２０にイメージを表示させる。電子装置６００は、携帯電話、デジタルカメラ、デスクトップコンピュータ、PDA、ノート型パソコン、テレビ、カーディスプレイ、或いは、ポータブルDVDプレーヤー、等である。
【００１３】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００１４】
【図１】公知の液晶ディスプレイを示す図である。
【図２】未カットテープをリムテープと残りに分割する状態図である。
【図３】本発明の液晶ディスプレイの具体例を示す図である。
【図４】本発明の液晶ディスプレイのもう一つの具体例を示す図である。
【図５】本発明の液晶ディスプレイの固定方法を示すフローチャートである。
【図６】イメージ表示システムを示す図である。
【符号の説明】
【００１５】
１０  公知の液晶ディスプレイ
１１  パネルモジュール
１２  バックライトモジュール
１３  フレーム
１４  未カットテープ
１４１  リムテープ
１４２  残りのテープ
２０  液晶ディスプレイ
２１  パネルモジュール
２１１  第一光学膜
２１２  カラーフィルタ基板
２１３  TFTアレイ基板
２１４  第一光学膜
２１５  側表面
２２  バックライトモジュール
２２３  第二拡散膜
２２４  導光板
２３  フレーム
２３１  内側表面
３０  紫外線接着剤
【図１】
2008026904.tif 000003
【図２】
2008026904.tif 000004
【図３】
2008026904.tif 000005
【図４】
2008026904.tif 000006
【図５】
2008026904.tif 000007
【図６】
2008026904.tif 000008